(57)【要約】【課題】室内機を自動的に清掃した埃を室外に放出し、しかも、清掃した埃の室外への放出を専用のダクトを用いずに行う。【解決手段】スプリット形空気調和機において、室内機２は、内部を清掃する清掃装置１４と、排気ファン３０を有して清掃装置１４により清掃された埃を含む空気を排気する排気装置１５と、を備え、室外機１は、加湿装置４と、加湿装置４により加湿された加湿空気を室内に供給する給気装置５と、を備え、排気装置１５と給気装置５との間にダクト３が配置されている。ダクト３における室外に位置する中間部分に室外に連通する開口３５が形成され、排気装置１５により排気されてダクト３内を流れる埃を含む空気を開口３５から室外に放出する第１切替位置と、給気装置５から供給されてダクト３内を流れる加湿空気を室内機２内に案内する第２切替位置とに切替可能な切換弁３７が設けられている。【選択図】    図１
2008045799.tif 000002
【特許請求の範囲】
【請求項１】
室内の空気が吸い込まれる吸込口と吸い込まれた空気が室内に吹き出す吹出口とが本体ケースに形成され、前記吸込口と前記吹出口とを連通する送風路内にエアフィルタと室内熱交換器と室内送風機とが配置された室内機と、圧縮機と室外熱交換器と室外送風機とを有する室外機と、を備えるスプリット形空気調和機において、
前記室内機はさらに、前記室内機の内部を清掃する清掃装置と、排気ファンを有し、前記清掃装置により清掃された埃を含む空気を排気する排気装置と、を備え、
前記室外機はさらに、加湿装置と、前記加湿装置により加湿された加湿空気を室内に供給する給気装置と、を備え、
前記排気装置と前記給気装置との間にダクトが配置され、前記ダクトにおける室外に位置する中間部分に室外に連通する開口が形成され、前記排気装置により排気されて前記ダクト内を流れる埃を含む空気を前記開口から室外に放出する第１切替位置と、前記給気装置から供給されて前記ダクト内を流れる加湿空気を前記室内機内に案内する第２切替位置とに切替可能な切換弁が設けられていることを特徴とするスプリット形空気調和機。
【請求項２】
前記ダクトの前記室内機に位置する中間部分に第２開口が形成され、
前記排気装置により排気されて前記ダクト内を流れる埃を含む空気を前記切換弁が設けられている位置に向けて案内する第１切替位置と、前記給気装置から供給されて前記ダクト内を流れる加湿空気を前記第２開口から前記室内機内に放出する第２切替位置とに切替可能な第２切替弁が設けられていることを特徴とする請求項１記載のスプリット形空気調和機。
【請求項３】
室内の空気が吸い込まれる吸込口と吸い込まれた空気が室内に吹き出す吹出口とが本体ケースに形成され、前記吸込口と前記吹出口とを連通する送風路内にエアフィルタと室内熱交換器と室内送風機とが配置された室内機と、圧縮機と室外熱交換器と室外送風機とを有する室外機と、を備えるスプリット形空気調和機において、
前記室内機はさらに、前記エアフィルタに付着した埃を除去する埃除去部と、一端側に形成された空気流入口と他端側に形成された空気流出口とを有して前記埃除去部により除去される埃を収容する埃収納部とを有し、前記エアフィルタの外周面に沿って移動可能に設けられるエアフィルタ清掃装置と、前記エアフィルタ清掃装置と着脱可能に連通され、前記空気流入口に連通されて前記埃収納部内に空気を送り込み、前記埃収納部に収納された埃を空気とともに前記空気流出口から排気する排気装置と、を備え、
前記室外機はさらに、加湿装置と、前記加湿装置により加湿された加湿空気を室内に供給する給気装置と、を備え、
前記給気装置と前記本体ケース内との間に位置し、前記本体ケース内に位置する端部に端部開口が形成され、前記エアフィルタ清掃装置の移動に伴って前記端部開口が前記空気流出口に着脱可能に連通されるダクトが設けられ、前記ダクトにおける室外に位置する中間部分に室外に連通する開口が形成され、前記排気装置により排気されて前記埃収納部を経由して前記ダクト内を流れる埃を含む空気を前記開口から室外に放出する第１切替位置と、前記給気装置から供給されて前記ダクト内を流れる加湿空気を前記室内機内に案内する第２切替位置とに切替可能な切換弁が設けられていることを特徴とするスプリット形空気調和機。
【発明の詳細な説明】
【技術分野】
【０００１】
本発明は、スプリット形空気調和機に関し、特に、室内機内に排気装置が設けられ、室外機内に加湿装置が設けられたスプリット形空気調和機に関する。
【背景技術】
【０００２】
室内機と室外機とに分離された構造であるスプリット形空気調和機においては、例えば、下記特許文献１に記載されているように、室外機の加湿ユニットと室内機とが給排気管により接続され、室内の換気や室内への加湿を行える機能を備えたものが知られている。
【０００３】
また、特許文献２に記載されているように、室内機に設けられているエアフィルタを自動的に清掃する清掃装置を備えたスプリット形空気調和機が知られている。
【特許文献１】特開２００３−１７６９４４号公報
【特許文献２】特開２００２−３０３９５号公報
【発明の開示】
【発明が解決しようとする課題】
【０００４】
しかしながら、前述の空気調和機においては、以下の点について配慮がなされていない。
【０００５】
給排気管は、加湿空気を室内に供給したり、加湿が必要でないときには室外空気の室内への供給機能を用いて換気を行うことにのみ用いられている。
【０００６】
このため、室内機のエアフィルタ等を自動的に清掃する清掃装置を設けた場合、清掃装置により除去した埃を室外に放出しようとすれば、一端が室外に開口する専用のダクトを設ける必要があり、室外機と室内機との間に配管されるダクトの数が増え、スプリット形調和機の据付構造が複雑になる。
【０００７】
本発明はこのような課題を解決するためになされたもので、その目的は、室内機を自動的に清掃した場合に、清掃した埃を室外に放出することができ、しかも、清掃した埃の室外への放出を専用のダクトを用いずに行うことができるスプリット形調和機を提供することである。
【課題を解決するための手段】
【０００８】
本発明の実施の形態に係る第１の特徴は、室内の空気が吸い込まれる吸込口と吸い込まれた空気が室内に吹き出す吹出口とが本体ケースに形成され、前記吸込口と前記吹出口とを連通する送風路内にエアフィルタと室内熱交換器と室内送風機とが配置された室内機と、圧縮機と室外熱交換器と室外送風機とを有する室外機と、を備えるスプリット形空気調和機において、前記室内機はさらに、前記室内機の内部を清掃する清掃装置と、排気ファンを有し、前記清掃装置により清掃された埃を含む空気を排気する排気装置と、を備え、前記室外機はさらに、加湿装置と、前記加湿装置により加湿された加湿空気を室内に供給する給気装置と、を備え、前記排気装置と前記給気装置との間にダクトが配置され、前記ダクトにおける室外に位置する中間部分に室外に連通する開口が形成され、前記排気装置により排気されて前記ダクト内を流れる埃を含む空気を前記開口から室外に放出する第１切替位置と、前記給気装置から供給されて前記ダクト内を流れる加湿空気を前記室内機内に案内する第２切替位置とに切替可能な切換弁が設けられていることである。
【０００９】
本発明の実施の形態に係る第２の特徴は、室内の空気が吸い込まれる吸込口と吸い込まれた空気が室内に吹き出す吹出口とが本体ケースに形成され、前記吸込口と前記吹出口とを連通する送風路内にエアフィルタと室内熱交換器と室内送風機とが配置された室内機と、圧縮機と室外熱交換器と室外送風機とを有する室外機と、を備えるスプリット形空気調和機において、前記室内機はさらに、前記エアフィルタに付着した埃を除去する埃除去部と、一端側に形成された空気流入口と他端側に形成された空気流出口とを有して前記埃除去部により除去される埃を収容する埃収納部とを有し、前記エアフィルタの外周面に沿って移動可能に設けられるエアフィルタ清掃装置と、前記エアフィルタ清掃装置と着脱可能に連通され、前記空気流入口に連通されて前記埃収納部内に空気を送り込み、前記埃収納部に収納された埃を空気とともに前記空気流出口から排気する排気装置と、を備え、前記室外機はさらに、加湿装置と、前記加湿装置により加湿された加湿空気を室内に供給する給気装置と、を備え、前記給気装置と前記本体ケース内との間に位置し、前記本体ケース内に位置する端部に端部開口が形成され、前記エアフィルタ清掃装置の移動に伴って前記端部開口が前記空気流出口に着脱可能に連通されるダクトが設けられ、前記ダクトにおける室外に位置する中間部分に室外に連通する開口が形成され、前記排気装置により排気されて前記埃収納部を経由して前記ダクト内を流れる埃を含む空気を前記開口から室外に放出する第１切替位置と、前記給気装置から供給されて前記ダクト内を流れる加湿空気を前記室内機内に案内する第２切替位置とに切替可能な切換弁が設けられていることである。
【発明の効果】
【００１０】
本発明によれば、清掃装置により清掃された室内機内の埃を含む空気の室外への放出と、室内機内への加湿空気の供給とを、共通のダクトを用いて行うことができ、スプリット形調和機の据付構造を簡単化することができる。
【発明を実施するための最良の形態】
【００１１】
以下、本発明の実施の形態を図面を用いて説明する。
【００１２】
（第１の実施の形態）
本発明の第１の実施の形態に係るスプリット形空気調和機は、図１に示すように、室外機１と室内機２とにより構成されている。室外機１と室内機２とは冷媒配管（図示せず）とダクト３とを介して接続されている。
【００１３】
室外機１には、冷房運転時又は暖房運転時に使用される機器として、圧縮機（図示せず）、室外熱交換器（図示せず）、室外送風機（図示せず）、室外機用の電気部品収納部（図示せず）等が設けられている。室外機１にはさらに、加湿装置４と、加湿装置４により加湿された加湿空気を室内機２が設置されている室内に供給する給気装置５とが設けられている。
【００１４】
図２は室内機２を一部を切り欠いて示す斜視図、図３は室内機２を示す縦断側面図である。室内機２には、冷房運転時又は暖房運転時に使用される機器として、エアフィルタ６と室内熱交換器７と室内送風機８とが設けられている。室内機２の本体ケース９には、前面部と上面部とに複数の吸込口１０が形成され、本体ケース９の下部にはルーバー１１により開度を調整される吹出口１２が形成されている。本体ケース９内には、吸込口１０と吹出口１２とを連通する送風路１３が形成され、この送風路１３内にエアフィルタ６と室内熱交換器７と室内送風機８とが配置され、室内送風機８が駆動されることにより、室内の空気が吸込口１０から吸い込まれ、吸い込まれた空気は送風路１３内を通って吹出口１２から吹き出す。エアフィルタ６は側面視Ｌ字形状に形成され、吸込口１０から吸い込まれた空気がエアフィルタ６を通過する場合に、空気中に含まれている埃がエアフィルタ６により捕集される。
【００１５】
室内機２にはさらに、室内機２の内部の一部であるエアフィルタ６を清掃する清掃装置であるエアフィルタ清掃装置１４と、エアフィルタ清掃装置１４により清掃された埃を含む空気を排気する排気装置１５と、電気部品収納部１６とが設けられている。電気部品収納部１６からは各電動機器に対して電力が供給され、及び、制御信号が出力される。
【００１６】
図４はエアフィルタ清掃装置１４を示す縦断側面図、図５は図４におけるＡ−Ａ線断面図、図６は図４におけるＢ−Ｂ線断面図である。エアフィルタ清掃装置１４は、エアフィルタ６に付着した挨を除去するもので、エアフィルタ６の形状に倣った側面視Ｌ字形に形成された収納ケース１７と、埃除去部であるブラシ１８ａ、１８ｂと、ブラシ１８ａ、１８ｂを中心線回りに回転駆動させるモータ１９ａ、１９ｂと、ブラシ１８ａ、１８ｂにより除去された埃を一時的に収納する空間である埃収納部２０ａ、２０ｂとを備えている。収納ケース１７の下部には、埃収納部２０ａ、２０ｂに連通する埃排出口２９が形成されている。なお、この実施の形態においては、清掃装置としてエアフィルタ清掃装置１４を例に挙げて示しているが、室内機２内に設けられる清掃装置の他の例としては、室内送風機８のファンを清掃するファン清掃装置を挙げることができる。
【００１７】
エアフィルタ清掃装置１４は、移動機構２１によりエアフィルタ６の外周面に沿った方向（図１及び図２に示す矢印Ａ方向）に往復移動可能に設けられている。移動機構２１は、収納ケース１７の一端側に設けられた送りネジ機構２１ａと収納ケース１７の他端側に設けられたガイド機構２１ｂとにより構成されている。
【００１８】
送りネジ機構２１ａは、収納ケース１７の一端側に取付けられた雌ネジ部材２２と、エアフィルタ６の外周面に沿った方向に延出して雌ネジ部材２２に螺合されるボールネジ２３と、ボールネジ２３の一端側に連結されてボールネジ２３を中心線回りに回転させるモータ２４とを備えている。ボールネジ２３の他端側は、軸受２５により軸支されている。
【００１９】
ガイド機構２１ｂは、ボールネジ２３と平行に延出して本体ケース９の内周面に固定された長尺状の案内溝部材２６と、収納ケース１７の他端側に固定された案内ピン２７とを備えている。案内溝部材２６には、ボールネジ２３エアフィルタ６の外周面に沿った方向に延出し、案内ピン２７がスライド可能に嵌合される案内溝２６ａが形成されている。
【００２０】
モータ２４を駆動させることによりエアフィルタ清掃装置１４はエアフィルタ６の外周面に沿って矢印Ａ方向に往復移動し、モータ２４の駆動を停止させた場合には、エアフィルタ清掃装置１４は仮想線で示す待機位置“Ｐ”に戻る。エアフィルタ清掃装置１４の待機位置“Ｐ”は、電気部品収納部１６の外周側の位置であり、吸込口１０から吸込まれてエアフィルタ６及び室内熱交換器７に向かう空気の流路から外れた位置である。
【００２１】
一方のブラシ１８ａは垂直向きに配置され、収納ケース１７に形成されたブラシ用開口２８ａからブラシ１８ａの先端側の一部が露出され、ブラシ１８ａの露出部分がエアフィルタ６の垂直部の外周面に当接されている。モータ１９ａにより駆動されてブラシ１８ａが中心線回りに回転し、及び、エアフィルタ清掃装置１４がエアフィルタ６の外周面に沿って移動することにより、エアフィルタ６の垂直部に付着している埃がブラシ１８ａにより除去される。エアフィルタ６の垂直部から除去された埃は、ブラシ１８ａにより収納ケース１７内に運ばれ、収納ケース１７内に形成された埃収納部２０ａに一時的に収納される。
【００２２】
他方のブラシ１８ｂは水平向きに配置され、収納ケース１７に形成されたブラシ用開口２８ｂからブラシ１８ｂの先端側の一部が露出され、ブラシ１８ｂの露出部分がエアフィルタ６の水平部の外周面に当接されている。モータ１９ｂにより駆動されてブラシ１８ｂが中心線回りに回転し、及び、エアフィルタ清掃装置１４がエアフィルタ６の外周面に沿って移動することにより、エアフィルタ６の水平部に付着している埃がブラシ１８ｂにより除去される。エアフィルタ６の水平部から除去された埃は、ブラシ１８ｂにより収納ケース１７内に運ばれ、収納ケース１７内に形成された埃収納部２０ｂに一時的に収納される。
【００２３】
排気装置１５は、排気ファン３０と、この排気ファン３０を収納するファンケース３１と、ファンケース３１に連接された埃吸込ケース３２とを有している。埃吸込ケース３２には、埃吸込口３３が形成されている。エアフィルタ清掃装置１４が排気装置１５に対して最も接近する位置に移動した場合、埃吸込口３３と収納ケース１７に形成された埃排出口２９とが連通される。埃吸込口３３と埃排出口２９とが連通された状態で排気ファン３０が駆動されると、埃収納部２０ａ、２０ｂ内に収納されている埃が、排気ファン３０により吸引され、埃を含む空気が排気される。
【００２４】
ダクト３は、排気装置１５と室外機１の給気装置５との間に接続されている。ダクト３における室外に位置する中間部分には、ダクト３から分岐され、先端に室外に連通する開口３５が形成された分岐管３６が接続されている。
【００２５】
ダクト３と分岐管３６との接続部分には、切換弁３７が設けられている。この切換弁３７は、排気装置１５により排気されてダクト３内を流れる埃を含む空気を開口３５から室外に放出する第１切替位置（図１において破線ａで示す位置）と、給気装置５から供給されてダクト３内を流れる加湿空気を室内機２内に案内する第２切替位置（図１において破線ｂで示す位置）とに切替可能に設けられている。なお、切換弁３７の第１切替位置と第２切替位置とへの切替は、この実施の形態ではダクト３内を流れる空気の風圧により行われる構造であるが、電磁式の切換弁を用いてもよい。
【００２６】
ダクト３の室内機２に位置する中間部分には、ダクト３から分岐されて先端に室内機２内に開口する第２開口３８が形成された第２分岐管３９が接続されている。
【００２７】
ダクト３と第２分岐管３９の接続部分には、第２切換弁４０が設けられている。この第２切換弁４０は、排気装置１５により排気されてダクト３内を流れる埃を含む空気を切換弁３７が設けられている位置に向けて案内する第１切替位置（図１において破線ｃで示す位置）と、給気装置５から供給されてダクト３内を流れる加湿空気を第２開口３８から室内機２内に放出する第２切替位置（図１において破線ｄで示す位置）とに切替可能に設けられている。なお、第２切換弁４０の第１切替位置と第２切替位置とへの切替は、この実施の形態ではダクト３内を流れる空気の風圧により行われる構造であるが、電磁式の切換弁を用いてもよい。
【００２８】
このような構成において、加湿空気を室内に供給する加湿運転時には、室外機１において加湿装置４と給気装置５とが駆動され、室内機２において室内送風機８が駆動される。室外機１において加湿装置４と給気装置５とが駆動されることにより加湿空気が生成され、生成された加湿空気がダクト３内を図１において破線の矢印で示す方向に流れ、室内機２側へ供給される。
【００２９】
加湿空気がダクト３内を流れて室内機２側へ供給されることにより、加湿空気に押された切換弁３７が破線ｂで示す第２切替位置に切替えられ、開口３５に連通する通路が閉止される。
【００３０】
さらに、加湿空気が切換弁３７の位置を通過してダクト３内を流れることにより、加湿空気に押された第２切換弁４０が破線ｄで示す第２切替位置に切替えられる。
【００３１】
加湿運転時において、切換弁３７が破線ｂで示す第２切替位置に切替えられることにより、加湿空気が開口３５から室外に放出されることが防止される。また、第２切換弁４０が破線ｄで示す第２切替位置に切替えられることにより、加湿空気は排気装置１５側へ流入せずに、第２分岐管３９の第２開口３８から室内機２内に流入する。室内機２内に流入した加湿空気は、室内送風機８の駆動により、エアフィルタ６を通過して埃を除去された後に吹出口１２から室内に吹き出し、室内が加湿される。
【００３２】
室内機２では、予め設定されたタイミングにより、又は、使用者の指示により、エアフィルタ６の清掃が自動的に行われる。
【００３３】
エアフィルタ６の自動清掃時には、送りネジ機構２１ａのモータ２４が駆動され、待機位置“Ｐ”に位置しているエアフィルタ清掃装置１４がエアフィルタ６の外周面に沿って排気装置１５側へ移動する。さらに、モータ１９ａ、１９ｂにより駆動されるブラシ１８ａ、１８ｂが回転し、エアフィルタ６に付着している埃がブラシ１８ａ、１８ｂにより除去される。エアフィルタ６から除去された埃は、１８ａ、１８ｂにより収納ケース１７内に運ばれ、収納ケース１７内に形成された埃収納部２０ａ、２０ｂに一時的に収納される。
【００３４】
エアフィルタ清掃装置１４が排気装置１５に最も接近する位置まで移動した場合、エアフィルタ清掃装置１４の埃排出口２９と排気装置１５の埃吸込口３３とが密着して連通される。埃排出口２９と埃吸込口３３とが密着して連通された状態において、排気ファン３０が駆動されることにより、埃収納部２０ａ、２０ｂに収納されている埃が排気ファン３０により吸引され、埃を含む空気がファンケース３１内を経由して、図１において実線の矢印で示す方向にダクト３内を流れる。
【００３５】
排気ファン３０が駆動され、埃を含む空気が実線の矢印で示す方向へダクト３内を流れることにより、埃を含む空気に押された第２切換弁４０が破線ｃで示す第１切替位置に切替えら、第２開口３８に連通する通路が閉止される。第２切換弁４０が破線ｃで示す第１切替位置に切替えられることにより、埃を含む空気は第２切換弁４０の位置を通過して引き続きダクト３内を流れる。
【００３６】
ダクト３内を引き続き流れる埃を含む空気が切換弁３７の位置に到達すると、切換弁３７は埃を含む空気に押されて破線ａで示す第１切替位置に切替えられ、給気装置５に連通する通路が閉止されるとともに開口３５に連通する通路が開放される。これにより、ダクト３内を流れる埃を含む空気は、切換弁３７の位置で分岐管３６内に流入し、実線の矢印で示すように開口３５から室外へ放出される。
【００３７】
したがって、このスプリット形空気調和機によれば、共通のダクト３を利用し、室外機１で生成された加湿空気の室内への供給と、エアフィルタ清掃装置１４により清掃された埃を含む空気の室外への放出とを行うことができる。これにより、室外機１と室内機２との間に配管されるダクトの数を増やすことがなく、スプリット形調和機の据付構造を簡単化することができる。
【００３８】
また、エアフィルタ清掃装置１４が排気装置１５に最も接近する位置に移動した場合に、収納ケース１７の埃排出口２９と排気装置１５の埃吸込口３３とが連通されるため、埃排出口２９と埃吸込口３３とを常時接続する構造が不要となる。このため、エアフィルタ清掃装置１４の埃収納部２０ａ、２０ｂに収納された埃を、排気装置１５とダクト３とを用いて室外に放出するための構造を簡単化することができる。
【００３９】
（第２の実施の形態）
本発明の第２の実施の形態に係るスプリット形空気調和機について、図７に基づいて説明する。なお、第１の実施の形態において説明した構成要素と同じ構成要素には同じ符号を付け、重複する説明は省略する。
【００４０】
室内機２には、第１の実施の形態で説明したエアフィルタ清掃装置１４に代えてエアフィルタ清掃装置１４Ａが設けられ、第１の実施の形態で説明した排気装置１５に代えて排気装置１５Ａが設けられている。
【００４１】
エアフィルタ清掃装置１４Ａは、エアフィルタ清掃装置１４と同じようにエアフィルタ６の形状に倣った側面視Ｌ字形に形成された収納ケース１７と、埃除去部であるブラシ１８ａ、１８ｂと、モータ１９ａ、１９ｂ（図１参照）と、埃収納部２０ａ、２０ｂとを備えている。収納ケース１７の一端側である下部には、埃収納部２０ａ、２０ｂに連通する空気流入口５１が形成され、収納ケース１７の他端側である上部には埃収納部２０ａ、２０ｂに連通する空気流出口５２が形成されている。エアフィルタ清掃装置１４Ａは、エアフィルタ６の外周面に沿った矢印Ａ方向に往復移動可能に設けられている。
【００４２】
排気装置１５Ａは、排気ファン５３と、この排気ファン５３を収納するファンケース５４と、ファンケース５４に連接された排気ダクト５５とを備えている。排気ダクト５５の先端部には、エアフィルタ清掃装置１４Ａが排気装置１５Ａに最も接近する位置に移動した場合に空気流入口５１に接続可能な４が送風口５６が形成されている。
【００４３】
室外機１の給気装置５と室内機２の本体ケース９との間には、ダクト５７が設けられている。ダクト５７における本体ケース９内に位置する端部には端部開口５８が形成され、エアフィルタ清掃装置１４Ａが排気装置１５Ａに最も接近する位置に移動した場合に、端部開口５８と空気流出口５２とが密着して接続され、連通される。
【００４４】
ダクト５７における室外に位置する部分には、ダクト５７から分岐されて先端に室外に連通する開口５９が形成された分岐管６０が接続されている。
【００４５】
ダクト５７と分岐管６０との接続部分には、切換弁３７が設けられている。この切換弁３７は、排気装置１５Ａにより排気されてダクト５７内を流れる埃を含む空気を開口３５から室外に放出する第１切替位置（図７において破線ａで示す位置）と、給気装置５から供給されてダクト５７内を流れる加湿空気を室内機２内に案内する第２切替位置（図７において破線ｂで示す位置）とに切替可能に設けられている。
【００４６】
このような構成において、加湿空気を室内に供給する加湿運転時には、室外機１において加湿装置４と給気装置５とが駆動され、室内機２において室内送風機８が駆動される。室外機１において加湿装置４と給気装置５とが駆動されることにより加湿空気が生成され、生成された加湿空気がダクト５７内を図７において破線の矢印で示す方向に流れ、室内機２側へ供給される。
【００４７】
加湿空気がダクト５７内を流れて室内機２側へ供給されることにより、加湿空気に押された切換弁３７が破線ｂで示す第２切替位置に切替えられ、開口３５に連通する通路が閉止され、加湿空気が開口３５から室外に放出されることが防止される。切換弁３７の位置を通過して引き続きダクト５７内を流れる加湿空気は、破線の矢印で示すようにダクト５７の端部開口５８から室内機２内に流入する。室内機２内に流入した加湿空気は、室内送風機８の駆動により、エアフィルタ６を通過して埃を除去された後に吹出口１２から室内に吹き出し、室内が加湿される。
【００４８】
室内機２では、予め設定されたタイミングにより、又は、使用者の指示により、エアフィルタ６の清掃が自動的に行われる。
【００４９】
エアフィルタ６の自動清掃時には、送りネジ機構２１ａのモータ２４が駆動され、待機位置“Ｐ”に位置しているエアフィルタ清掃装置１４Ａがエアフィルタ６の外周面に沿って排気装置１５Ａ側へ移動する。さらに、モータ１９ａ、１９ｂにより駆動されるブラシ１８ａ、１８ｂが回転し、エアフィルタ６に付着している埃がブラシ１８ａ、１８ｂにより除去される。エアフィルタ６から除去された埃は、１８ａ、１８ｂにより収納ケース１７内に運ばれ、収納ケース１７内に形成された埃収納部２０ａ、２０ｂに一時的に収納される。
【００５０】
エアフィルタ清掃装置１４Ａが排気装置１５Ａに最も接近する位置まで移動した場合、エアフィルタ清掃装置１４Ａの埃収納部２０ａ、２０ｂの空気流入口５１と排気装置１５Ａの送風口５６とが密着して連通される。さらに、エアフィルタ清掃装置１４Ａの埃収納部２０ａ、２０ｂの空気流出口５２とダクト５７の端部開口５８とが密着して連通される。
【００５１】
送風口５６と空気流入口５１とが密着して連通され、及び、空気流出口５２と端部開口５８とが密着して連通された状態において、排気ファン５３が駆動されることにより、実線の矢印で示すように、排気ファン５３から埃収納部２０ａ、２０ｂ内に空気が送り込まれる。この空気の送り込みにより、埃収納部２０ａ、２０ｂ内の埃が空気とともに空気流出口５２からダクト５７内に排気される。
【００５２】
排気ファン５３が駆動され、埃を含む空気が実線の矢印で示す方向へダクト５７内を流れることにより、埃を含む空気に押された切換弁３７破線ａで示す第１切替位置に切替えられる。これにより、給気装置５に連通する通路が閉止されるとともに開口５９に連通する通路が開放され、ダクト５７内を流れる埃を含む空気は、切換弁３７の位置で分岐管６０内に流入し、開口５９から室外へ放出される。
【００５３】
したがって、このスプリット形空気調和機によれば、共通のダクト５７を利用し、室外機１で生成された加湿空気の室内への供給と、エアフィルタ清掃装置１４Ａにより清掃された埃を含む空気の室外への放出とを行うことができる。これにより、室外機１と室内機２との間に配管されるダクトの数を増やすことがなく、スプリット形調和機の据付構造を簡単化することができる。
【００５４】
また、エアフィルタ清掃装置１４Ａが排気装置１５Ａに最も接近する位置に移動した場合に、エアフィルタ清掃装置１４Ａの空気流入口５１と排気装置１５Ａの送風口５６とが連通されるため、送風口５６と空気流入口５１とを常時接続する構造が不要となる。このため、エアフィルタ清掃装置１４Ａの埃収納部２０ａ、２０ｂに収納された埃を排気装置１５Ａとダクト５７とを用いて室外に放出するための構造を簡単化することができる。
【００５５】
また、エアフィルタ清掃装置１４Ａが排気装置１５Ａに最も接近する位置に移動した場合に、エアフィルタ清掃装置１４Ａの空気流出口５２と端部開口５８とが連通され、エアフィルタ清掃装置１４Ａが排気装置１５Ａから離れることによりこの連通状態が解除される。このため、ダクト５７の端部開口５８側に、加湿空気と埃を含む空気との流れ方向を切替えるための弁機構が不要となる。
【図面の簡単な説明】
【００５６】
【図１】本発明の第１の実施の形態に係るスプリット形空気調和機の概略構造を示す模式図である。
【図２】室内機を一部を破断にして示す斜視図である。
【図３】室内機を示す縦断側面図である。
【図４】エアフィルタ清掃装置を示す縦断側面図である。
【図５】図４におけるＡ−Ａ線断面図である。
【図６】図４におけるＢ−Ｂ線断面図である。
【図７】本発明の第２の実施の形態に係るスプリット形空気調和機の概略構造を示す模式図である。
【符号の説明】
【００５７】
１…室外機、２…室内機、３…ダクト、４…加湿装置、５…給気装置、６…エアフィルタ、８…室内送風機、９…本体ケース、１０…吸込口、１２…吹出口、１３…送風路、１４…清掃装置、１４Ａ…エアフィルタ清掃装置、１５…排気装置、１５Ａ…排気装置、１８ａ、１８ｂ…埃除去部、２０ａ、２０ｂ…埃収納部、２９…埃排出口、３０…排気ファン、３５…開口、３７…切換弁、３８…第２開口、４０…第２切換弁、５１…空気流入口、５２…空気流出口、５３…排気ファン、５７…ダクト、５８…端部開口、５９…開口
【図１】
2008045799.tif 000003
【図２】
2008045799.tif 000004
【図３】
2008045799.tif 000005
【図４】
2008045799.tif 000006
【図５】
2008045799.tif 000007
【図６】
2008045799.tif 000008
【図７】
2008045799.tif 000009